(57)【要約】【課題】ユーザがより確実に音声メッセージを聞き取ることができる除細動器を提供すること。【解決手段】除細動器は、同一のメッセージ１を男性の声と女性の声で繰り返して出力する。同様に、同一のメッセージ２、………、Ｎを男性の声と女性の声で繰り返して出力する。これにより、男性の声は聞き取れるが女性の声は聞き取りにくいといったユーザ、或いは、反対に女性の声は聞き取れるが男性の声は聞き取りにくいといったユーザでも、メッセージを聞き取ることができるようになる。【選択図】図３
2015029563.tif 000002
【特許請求の範囲】
【請求項１】
除細動器の操作に関する及び又は除細動器の状態を示す音声メッセージを出力する音声出力部を有する除細動器であって、
前記音声出力部は、
同一のメッセージを、第１の周波数帯域である第１音声と、前記第１の周波数帯域よりも帯域の高い第２の周波数帯域である第２音声と、により、繰り返し又は同時に出力する、
除細動器。
【請求項２】
前記第１音声は男性的な周波数特性を有し、前記第２音声は女性的な周波数特性を有する、
請求項１に記載の除細動器。
【請求項３】
前記第１音声を出力する直前に第１アラーム音を出力するとともに、前記第２音声を出力する直前に第２アラーム音を出力し、
前記第２アラーム音は、前記第１アラーム音よりも周波数が高い、
請求項１又は請求項２に記載の除細動器。
【請求項４】
前記音声出力部は、
前記同一のメッセージを、前記第１音声と前記第２音声とにより繰り返して出力する場合、
前のメッセージ内容ついての前記第１音声及び前記第２音声に対するユーザの反応に応じて、次のメッセージ内容についての前記第１音声及び前記第２音声の出力順序を決定する、
請求項１から請求項３のいずれか一項に記載の除細動器。
【発明の詳細な説明】
【技術分野】
【０００１】
本発明は、自動体外式除細動器（ＡＥＤ：Automated External Defibrillator）、手動式除細動器等の除細動器における音声メッセージに関する。
【背景技術】
【０００２】
電極を用いて患者の心筋に電気ショックを与え、心臓の細動を除去する、除細動器が知られている。ＡＥＤについては、平成１６年に非医療従事者による使用が認められたため、それ以降は、駅や運動施設等の公共施設内でのＡＥＤ設置が増えている。
【０００３】
ＡＥＤは一般に、非医療従事者でも正しく使用することができるように、操作案内用音声（つまり、音声メッセージ）で操作手順を案内する機能を備えている。半自動除細動器や手動式除細動器にも操作案内用音声機能を備えているものもある。
【０００４】
特許文献１には、環境ノイズに応じて音声特性の異なる音声メッセージを提供することで、ノイズ環境に適した音声メッセージを提供する方法が開示されている。
【先行技術文献】
【特許文献】
【０００５】
【特許文献１】特許第４９６９６４５号公報
【発明の概要】
【発明が解決しようとする課題】
【０００６】
ところで、ノイズ環境に適した音声特性の音声メッセージが必ずしもユーザにとって聞き取り易いものであるとは限らない。ユーザの聴覚特性は、ユーザ毎に異なるからである。従来の除細動器の音声メッセージは、このような点が十分に配慮されているとは言えず、聞き取り易さの点で未だ不十分であった。
【０００７】
特に、突然心停止の生存率は、患者の除細動をどれだけ早期に行うことができるかに大きく左右されるので、除細動器の操作に不慣れなユーザにとっては、音声メッセージを確実に聞き取り、音声メッセージに従って迅速に除細動の処置を行うことは患者の命を救う上で非常に重要となる。
【０００８】
本発明は、以上の点を考慮してなされたものであり、ユーザがより確実に音声メッセージを聞き取ることができる除細動器を提供することである。
【課題を解決するための手段】
【０００９】
本発明の除細動器の一つの態様は、
除細動器の操作に関する及び又は除細動器の状態を示す音声メッセージを出力する音声出力部を有する除細動器であって、
前記音声出力部は、
同一のメッセージを、第１の周波数帯域である第１音声と、前記第１の周波数帯域よりも帯域の高い第２の周波数帯域である第２音声と、により、繰り返し又は同時に出力する。
【発明の効果】
【００１０】
本発明によれば、ユーザがより確実に音声メッセージを聞き取ることができるようになる。
【図面の簡単な説明】
【００１１】
【図１】本発明の一実施の形態に係るＡＥＤの要部の外観図
【図２】音声出力部の構成を示すブロック図
【図３】音声メッセージの出力例を示すフローチャート
【図４】音声メッセージ及びアラーム音の出力例を示すフローチャート
【図５】音声出力部の構成を示すブロック図
【発明を実施するための形態】
【００１２】
以下、本発明の実施の形態について、図面を用いて詳細に説明する。
【００１３】
＜外観構成＞
図１は、本発明の一実施の形態に係るＡＥＤの要部の略線的な外観図である。
【００１４】
図１のＡＥＤ１０は、本体１１と、蓋部１２とにより構成されている。蓋部１２は、本体１１に対してヒンジ部（図示せず）を介して開閉自在に取り付けられている。本体１１には、除細動を行うときに患者の胸部に装着させる電極パッド１３ａ、１３ｂが接続されている。ＡＥＤ１０は、不使用時には蓋部１２が閉じられた状態で保管されており、使用時には蓋部１２を開けて電極パッド部１３ａ、１３ｂを取り出すことによって使用可能な状態となる。
【００１５】
本体１１には、電源オン／オフボタン１１ａ、生体への通電を実行するための電気ショックボタン１１ｂ、音声メッセージ等を出力するスピーカ１１ｃが設けられている。
【００１６】
なお、ＡＥＤ１０の本体１１の主な内部構成及び操作手順は周知であるため、ここではその詳細な説明を省略する。
【００１７】
＜音声メッセージの出力＞
次に、本実施の形態による音声メッセージ出力処理について詳しく説明する。
【００１８】
ＡＥＤ１０は、図２に示すような構成の音声出力部２０を有する。音声出力部２０は、本体１１に内蔵された音声処理部２１と、スピーカ１１ｃとによって構成されている。音声処理部２１は、予め録音され記憶された音声メッセージを所定のタイミング及び所定の間隔で再生してスピーカ１１ｃに出力する。音声メッセージの再生が開始されるタイミングとは、例えば電源オン／オフボタン１１ａが操作されることで、ＡＥＤ１０の電源がオンとされたタイミングである。または、蓋部１２が開けられたタイミングでもよい。
【００１９】
図３は、本実施の形態による音声出力部２０の音声メッセージの出力例を示すフローチャートである。音声出力部２０は、図３に示すように、同一の音声メッセージを、男性の声と女性の声で繰り返して出力するようになっている。これにより、ユーザは音声メッセージをより確実に聞き取ることができるようになる。つまり、男性の声でも女性の声でも同じようにハッキリと聞き取ることができるような健聴者であれば、男性或いは女性の声のみでメッセージを出力するだけでも十分であるが、ユーザによっては聴覚特性により、男性の声の方が聞き取り易いユーザや、反対に女性の声の方が聞き取り易いユーザも存在する。本実施の形態では、このようなユーザがいることを考慮して、同一のメッセージを男性の声と女性の声の両方で出力することで、確実に音声メッセージを伝えることができるようなっている。
【００２０】
ちなみに、一般に、高齢になるに従って高い周波数の声を聞き取りにくくなる傾向がある。すなわち、高齢になるに従って女性の声を聞き取りにくくなる傾向がある。また、周囲のノイズによっては、男性の声よりも女性の声の方が聞き取り易い場合や、反対に男性の声の方が聞き取り易い場合もある。本実施の形態の構成は、これらの場合にも非常に有効である。
【００２１】
ここで、音声出力部２０が男性の声と女性の声で繰り返して出力する音声メッセージとは、ユーザがＡＥＤ１０の操作を行うときに、ユーザにＡＥＤ１０の操作を案内するためのものであり、音声ガイダンスと呼んでもよい。また、音声メッセージには、ＡＥＤ１０の状態を示すメッセージも含まれる。つまり、本実施の形態における音声メッセージとは、ＡＥＤ１０の操作を行う際に重要なメッセージのことである。
【００２２】
具体的には、音声メッセージは、例えば、「充電開始」、「充電中止」、「充電中断」、「内部放電」、「充電エネルギーオーバー」、「バッテリ残量注意」、「コンセントに繋いでください」、「同期モード」、「同期モード継続」、「同期モード解除」、「ショックボタンを押してください」、「解析中です患者に触れないでください」、「胸骨圧迫を開始してください」、などのメッセージである。このうち、「ショックボタンを押してください」、「解析中です患者に触れないでください」、「胸骨圧迫を開始してください」のメッセージは、ＡＥＤ１０の操作に関するメッセージである。また、「充電開始」、「充電中止」、「充電中断」、「内部放電」、「充電エネルギーオーバー」、「バッテリ残量注意」、「コンセントに繋いでください」、「同期モード」、「同期モード継続」、「同期モード解除」のメッセージは、除細動器の状態を示すメッセージである。
【００２３】
ちなみに、重要でない音声メッセージ（音声出力部２０が男性の声と女性の声で繰り返して出力せずに、男性又は女性の声で１回だけ出力する通常の音声メッセージ）とは、除細動に関わらないメッセージであり、例えば除細動器に生体情報モニタ機能が付随して設けられている装置における生体情報モニタに関するメッセージなどである。そのメッセージとは、例えば、「記録紙がなくなりました」、などといったメッセージである。
【００２４】
さらに、図４に示すように、男性の声を出力する直前に第１アラーム音を出力するとともに、女性の声を出力する直前に第２アラーム音を出力するようにすれば、ユーザはこれから音声メッセージが出力されることをアラーム音によって喚起されるので、音声メッセージの聞き逃しを減らすことができる。
【００２５】
加えて、第２アラーム音の周波数を、第１アラーム音の周波数よりも高く設定することが好ましい。つまり、男性の声の前には、男性の声を聞き取ることができる人用に、若干低めの周波数のアラーム音を鳴らし、女性の声の前には、女性の声を聞き取ることができる人用に、若干高めの周波数のアラーム音を鳴らす。これにより、男性の声を聞き取り易いユーザは第１アラーム音を聞き取り易くなるとともに、女性の声を聞き取り易いユーザは第２アラーム音を聞き取り易くなるので、アラーム音によってユーザがより喚起され易くなる。
【００２６】
なお、図３及び図４では、同一メッセージを繰り返す際に、男性の声を女性の声よりも先に出力する場合について述べたが、当然、女性の声を男性の声よりも先に出力してもよい。
【００２７】
さらに、ユーザの反応に応じて、男性の声を先に出力するか又は女性の声を先に出力するかを決めてもよい。この場合には、図５に示すように、音声出力部３０が、音声処理部３１にユーザの操作信号を入力し、操作信号の入力されたタイミングに基づいて、次のメッセージから男性の声と女性の声の再生順序を決めるようにすればよい。具体的には、前メッセージを男性→女性の順序で出力し、ユーザが女性のメッセージを聞いた直後に操作を開始した場合には、次メッセージの出力順序は女性→男性にする。例えば、図３のメッセージ１が「ショックボタンを押してください」であり、メッセージ２が「解析中です患者に触れないでください」であったと想定する。そして、図３のメッセージ１で「ショックボタンを押してください」といったメッセージを男性の声→女性の声の順序で出力したところ、ユーザが男性の声の直後ではなく女性の声の直後に電気ショックボタン１１ｂを操作した場合には、メッセージ２の「解析中です患者に触れないでください」は女性の声→男性の声の順序で出力する。このようにすることで、メッセージが繰り返されたときに、ユーザは自分の聞き取り易いメッセージをより早く聞くことができるので、より速やかに操作を行うことができるようになる。また、聞き取りにくい音声の後に聞き取り易い音声が出力される場合よりも、聞き取りのためのストレスが軽減される。
【００２８】
以上説明したように、本実施の形態によれば、同一のメッセージを、男性の声と女性の声で繰り返して出力したことにより、ユーザがより確実に音声メッセージを聞き取ることができるＡＥＤ１０を実現できる。
【００２９】
なお、上述の実施の形態では、男性の声と女性の声で繰り返して出力した場合について述べたが、本発明はこれに限らない。本発明は、ユーザによって聞き取り易い周波数帯域が異なることに着目してなされたものであり、要は、同一のメッセージを、第１の周波数帯域である第１音声と、前記第１の周波数帯域よりも帯域の高い第２の周波数帯域である第２音声と、により、繰り返し出力すればよい。このようにすれば、上述の実施の形態と同様の効果を得ることができる。
【００３０】
また、周波数帯域の異なる音声（例えば男性の声と女性の声）を繰り返して出力する場合に限らず、周波数帯域の異なる音声（例えば男性の声と女性の声）を同時に出力してもよい。このようにすると、聞き取り易さの点において、繰り返して出力する場合と比較すると若干劣るが、単一周波数帯域の音声を一回のみ出力する場合よりは改善される。一方、時間の点においては、同時に出力すれば繰り返し出力する場合よりも節約できるので、ユーザによるより速やかな操作が期待できる。
【００３１】
また、上述の実施の形態では、「男性の声」、「女性の声」と記述したが、これらは周波数特性の上で一意に決めることは困難であり、実施の形態における「男性の声」、「女性の声」は実際上、それぞれ、「男性的な周波数を有する声」、「女性的な周波数を有する声」であることを意味する。
【００３２】
また、上述の実施の形態では、本発明を、図１の外観構成のＡＥＤ１０に適用した場合について述べたが、本発明はこれに限らず、音声メッセージ機能を搭載した除細動器に広く適用可能である。
【００３３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３４】
１０  ＡＥＤ
１１  本体
１１ａ  電源オン／オフボタン
１１ｂ  電気ショックボタン
１１ｃ  スピーカ
１２  蓋部
１３ａ、１３ｂ  電極パッド
２０、３０  音声出力部
２１、３１  音声処理部
【図１】
2015029563.tif 000003
【図２】
2015029563.tif 000004
【図３】
2015029563.tif 000005
【図４】
2015029563.tif 000006
【図５】
2015029563.tif 000007